(57)【要約】      （修正有）【課題】ラケットやバットなどの、工具類の使用者の体格、プレイスタイル、癖、使い勝手などによって異なるグリップ位置に嵌装することによって、グリップ時のホールド感向上とスイング時や使用時の手からすっぽ抜けることを防止するグリップの補助具を提供する。【解決手段】運動具や工具などのグリップ２ａに嵌装する補助具であって、補助具の本体１は、円筒状で弾性素材からり、円筒の上端側端部の円周の厚みを薄く形成した薄肉部と、下端側端部の円周の厚みを厚く形成した厚肉部とから、円筒状の本体の外側の形状が円錐台形状を呈するように形成してグリップ時のホールド感向上とスイング時や使用時の手からすっぽ抜けることを防止する。【選択図】図１
0003195884.tif 000002
【実用新案登録請求の範囲】
【請求項１】
運動具や工具などのグリップに嵌装する補助具であって、補助具の本体は、円筒状で弾性素材からなり、円筒の上端側端部の円周の厚みを薄く形成した薄肉部と、下端側端部の円周の厚みを厚く形成した厚肉部とから、円筒状の本体の外側の形状が円錐台形状を呈するように形成されていることを特徴とするグリップの補助具。
【請求項２】
運動具や工具などのグリップに嵌装する補助具であって、補助具の本体は、円筒状で弾性素材からなり、円筒の上端側端部と下端側端部の円周の厚みを薄く形成した薄肉部と、上端側端部と下端側端部との円筒方向の中間位置の厚みを厚く形成した厚肉部として、円筒状の本体の外側の形状が太鼓形状を呈するように形成されていること
【請求項３】
運動具や工具などのグリップに嵌装する補助具であって、補助具の本体は、円筒状で弾性素材からなり、円筒の上端側端部の円周の厚みを薄く形成した薄肉部と、下端側端部の円周の厚みを厚く形成した厚肉部とから、円筒状の本体の外側の形状が円錐台形状を呈するように形成されるとともに、上端側端部の薄肉部から上方に向かって複数の舌片を延設したこと
【請求項４】
運動具や工具などのグリップに嵌装する補助具であって、補助具の本体は、円筒状で弾性素材からなり、円筒の上端側端部と下端側端部の円周の厚みを薄く形成した薄肉部と、上端側端部と下端側端部との円筒方向の中間位置の厚みを厚く形成した厚肉部として、円筒状の本体の外側の形状が太鼓形状を呈するように形成されるとともに、上端側端部の薄肉部、下端側端部の薄肉部の何れか、または両側から複数の舌片を延設したことを特徴とするグリップの補助具。
【考案の詳細な説明】
【技術分野】
【０００１】  本考案は、テニスやバトミントンなどのラケットや野球やソフトボールなどのバットのグリップ、ハンマーなど工具類のグリップに嵌装する補助具に関するものである。
【背景技術】
【０００２】  テニスやバトミントンなどのラケットのグリップの端部のグリップエンド（図１の２ｂ参照）は、グリップ（図１の２ａ参照）よりも太く形成されている。これは、グリップする際の手の位置決めやスイングした際のすっぽ抜けを防止するためである。野球やソフトボールなどのバットも、グリップエンドが太く形成されスイングの際のすっぽ抜けを防止する。ハンマーなど工具類のグリップにおいては、特にグリップエンドが形成されていないものが主である。【０００３】  前記したラケットやバットなどをグリップする際は、使用者の体格、プレイスタイルなどによってグリップする位置が異なる。短くグリップする場合は、グリップエンドが手に当たらないためホールド感に欠けたり、スイングの際にすっぽ抜けたりすることがある。また、工具類においては、グリップエンドが形成されていないため、ホールド感に欠けたり、使用時にすっぽ抜けることがある。【０００４】  例えば、特開２００４−２０２７１６号公報（特許文献１）の「弾性体およびその弾性体を使用した軸体、並びに、筆記具」は、筆記具や釣り竿、ラケット、ドライバーなどの工具類等の弾性把持部材、衝撃吸収シートまたはマッサージ具などの弾性部材に関するもので、グリップ部分に嵌装することで、グリップを強く握った際の指の痛み防止、長時間の使用による疲労防止、グリップ感の向上を得られるようにしたものである。
【先行技術文献】
【特許文献】
【０００５】
【特許文献１】  特開２００４−２０２７１６号公報
【考案の概要】
【考案が解決しようとする課題】
【０００６】  ところで、前記した特許文献１に開示された弾性体は、ラケットやバット、工具類のグリップに嵌装した際は、グリップを強く握った際の指の痛み防止、長時間の使用による疲労防止、グリップ感の向上を得られるようにしたものであるが、グリップエンドとしてのホールド感の向上やすっぽ抜け防止を目的としたものではない。【０００７】  そこで、本考案は上記した課題を考慮し、ラケットやバット、工具類の使用者の体格、プレイスタイル、癖、使い勝手などによって異なるグリップ位置に嵌装することによって、グリップ時のホールド感向上とスイング時や使用時の手からすっぽ抜けることを防止することができるグリップの補助具を提供することを目的とするものである。
【課題を解決するための手段】
【０００８】  かかる課題を解決するために、本考案の請求項１によれば、運動具や工具などのグリップに嵌装する補助具であって、補助具の本体は、円筒状で弾性素材からなり、円筒の上端側端部の円周の厚みを薄く形成した薄肉部と、下端側端部の円周の厚みを厚く形成した厚肉部とから、円筒状の本体の外側の形状が円錐台形状を呈するように形成されていることで解決される。【０００９】  かかる課題を解決するために、本考案の請求項２によれば、運動具や工具などのグリップに嵌装する補助具であって、補助具の本体は、円筒状で弾性素材からなり、円筒の上端側端部と下端側端部の円周の厚みを薄く形成した薄肉部と、上端側端部と下端側端部との円筒方向の中間位置の厚みを厚く形成した厚肉部として、円筒状の本体の外側の形状が太鼓形状を呈するように形成されていることで解決される。【００１０】  かかる課題を解決するために、本考案の請求項３によれば、運動具や工具などのグリップに嵌装する補助具であって、補助具の本体は、円筒状で弾性素材からなり、円筒の上端側端部の円周の厚みを薄く形成した薄肉部と、下端側端部の円周の厚みを厚く形成した厚肉部とから、円筒状の本体の外側の形状が円錐台形状を呈するように形成されるとともに、上端側端部の薄肉部から上方に向かって複数の舌片を延設したことで解決される。【００１１】  かかる課題を解決するために、本考案の請求項４によれば、運動具や工具などのグリップに嵌装する補助具であって、補助具の本体は、円筒状で弾性素材からなり、円筒の上端側端部と下端側端部の円周の厚みを薄く形成した薄肉部と、上端側端部と下端側端部との円筒方向の中間位置の厚みを厚く形成した厚肉部として、円筒状の本体の外側の形状が太鼓形状を呈するように形成されるとともに、上端側端部の薄肉部、下端側端部の薄肉部の何れか、または両側から複数の舌片を延設したことで解決される。
【考案の効果】
【００１２】  本考案のグリップの補助具によれば、テニスやバトミントンなどのラケットや野球やソフトボールなどのバットのグリップ、ハンマーなど工具類のグリップなど、使用者の体格、プレイスタイル、癖、使い勝手などによって異なるグリップ位置に嵌装することによって、グリップ時のホールド感向上とスイング時や使用時の手からすっぽ抜けることを防止することができるグリップの補助具を提供することが可能となった。
【図面の簡単な説明】
【００１３】
【図１】グリップの補助具本体をグリップに嵌装した状態を示す図である。（第１実施例）
【図２】グリップの補助具本体の平面図と正面図である。（第１実施例）
【図３】ググリップの補助具本体をグリップに嵌装した状態を示す図である。（第２実施例）
【図４】グリップの補助具本体の平面図と正面図である。（第２実施例）
【図５】グリップの補助具本体の平面図と正面図である。（第３実施例）。
【図６】第３実施例のグリップの補助具本体をグリップに嵌装した状態を示す図である。
【図７】第３実施例のグリップの補助具本体をグリップに嵌装した状態を示す図である。
【図８】グリップの補助具本体の平面図と正面図である。（第４実施例）。
【考案を実施するための形態】
【実施例１】
【００１４】  以下、本考案のグリップの補助具の第１の実施例について、図面を参照して詳細に説明する。なお、説明においては、テニスラケットのグリップを用いて図示説明するが、グリップを有する運道具や工具類であれば同一の効果を得ることができる。【００１５】  図１は、グリップの補助具本体（１）をラケット（２）のグリップ（２ａ）に嵌装した状態を示す図である。図２は、本体（１）の平面図と正面図である。【００１６】  図１及び図２に示されるグリップの補助具の本体（１）は、熱硬化性エラストマーや熱可塑性エラストマーなどの弾性素材からなり、図２に示されるように円筒状で円筒方向の上端側端部の円周の厚みを薄く形成し薄肉部（１ａ）、下端側端部の円周の厚みを厚く形成し厚肉部（１ｂ）として、円筒状の本体（１）の外側の形状が、円錐台形状を呈するように形成されている。【００１７】  このように形成された本体（１）は、図１に示されるようにラケット（２）のグリップ（２ａ）にグリップエンド（２ｂ）から嵌め入れて適宜な位置に嵌装される。本体（１）は、弾性素材からなるのでグリップ（２ａ）の径よりも小さく形成することで嵌装した際は、グリップ（２ａ）を締め付けるように固定され、接着剤や両面粘着テープで固定する必要がなく、嵌装した位置を容易に変更することができる。ラケット（２）の使用者がラケットを常に短めに持つ場合は、図１に示されるような位置に本体（１）を嵌装することで、本体（１）の円錐台形状の外側面がグリップエンドの役割を担うことになり、グリップ時のホールド感向上とスイング時や使用時の手からすっぽ抜けることを防止することが可能となる。
【実施例２】
【００１８】  本考案のグリップの補助具の第２の実施例について、図面を参照して詳細に説明する。なお、説明においては、テニスラケットのグリップへの嵌装を一例として図示説明する。図３は、グリップの補助具本体（１１）をラケット（２）のグリップ（２ａ）に嵌装した状態を示す図である。図４は、グリップの補助具本体（１１）の平面図と正面図である。【００１９】  図３及び図４に示されるグリップの補助具の本体（１１）は、熱硬化性エラストマーや熱可塑性エラストマーなどの弾性素材からなり、図４に示されるように円筒状で円筒方向の上端側端部と下端側端部の円周の厚みを薄く形成し薄肉部（１１ａ）、上端側端部と下端側端部との円筒方向の中間位置の厚みを厚く形成し厚肉部（１１ｂ）として、円筒状の本体（１１）の外側の形状が、太鼓形状を呈するように形成されている。【００２０】  このように形成された本体（１１）は、図３に示されるようにラケット（２）のグリップ（２ａ）にグリップエンド（２ｂ）から嵌め入れて適宜な位置に嵌装される。本体（１１）は、弾性素材からなるのでグリップ（２ａ）の径よりも小さく形成することで嵌装した際は、グリップ（２ａ）を締め付けるように固定され、接着剤や両面粘着テープで固定する必要がなく、嵌装した位置を容易に変更することができる。ラケット（２）の使用者がラケットを常に短めに持つ場合は、図３に示されるような位置に本体（１）を嵌装することで、本体（１１）の太鼓形状の外側面がグリップエンドの役割を担うことになり、グリップ時のホールド感向上とスイング時や使用時の手からすっぽ抜けることを防止することが可能となる。さらに、上端側端部と下端側端部を逆さにしても同一形状を呈するので、嵌装する際の方向性がなく、図３に示されるように、本体（１１）を２個間隔をおいて嵌装することで、明確なグリップ位置の位置決めにもなる。
【実施例３】
【００２１】  本考案のグリップの補助具の第３の実施例について、図面を参照して詳細に説明する。なお、説明においては、テニスラケットのグリップへの嵌装を一例として図示説明する。【００２２】  図５は、グリップの補助具本体（１２）の平面図と正面図である。図５に示されるグリップの補助具の本体（１２）は、熱硬化性エラストマーや熱可塑性エラストマーなどの弾性素材からなり、図５に示されるように円筒状で円筒方向の上端側端部の円周の厚みを薄く形成し薄肉部（１２ａ）、下端側端部の円周の厚みを厚く形成し厚肉部（１２ｂ）として、円筒状の本体（１）の外側の形状が、円錐台形状を呈するように形成されている。また、上端側端部の薄肉部（１２ａ）から上方に向かって複数の舌片（１２ｃ）を延設して一体に形成される。【００２３】  図６は、グリップの補助具本体（１２）をグリップに嵌装した状態を示す図である。本体（１２）は、図６に示されるようにラケット（２）のグリップ（２ａ）にグリップエンド（２ｂ）から嵌め入れて適宜な位置に嵌装される。本体（１２）は、弾性素材からなるのでグリップ（２ａ）の径よりも小さく形成することで嵌装した際は、グリップ（２ａ）を締め付けるように固定され、接着剤や両面粘着テープで固定する必要がなく、嵌装した位置を容易に変更することができる。ラケット（２）の使用者がラケットを常に短めに持つ場合は、図６に示されるような位置に本体（１２）を嵌装することで、本体（１２）の円錐台形状の外側面がグリップエンドの役割を担うことになり、グリップ時のホールド感向上とスイング時や使用時の手からすっぽ抜けることを防止することが可能となる。【００２４】  図７は、グリップの補助具本体（１２）をグリップに嵌装した状態を示す図で、さらにグリップテープ（３）を巻き付けた状態を示す図である。使用者がグリップ（２ａ）の滑り止め効果やクッション性を得たい場合は、グリップ（２ａ）にグリップテープ（３）を巻きつけることが可能である。この場合、舌片（１２ｃ）がグリップテープ（３）を巻き付けるためのガイドとしての役割を担うことができる。グリップテープ（３）を巻き付ける際は、舌片（１２ｃ）の上からグリップテープ（３）を巻き始めることによって本体（１２）を確実にグリップ（２ａ）に嵌装することができるとともに、さらなるグリップ時のホールド感向上とスイング時や使用時に手からすっぽ抜けることを防止することが可能となる。
【実施例４】
【００２５】  本考案のグリップの補助具の第４の実施例について、図面を参照して詳細に説明する。なお、説明においては、テニスラケットのグリップへの嵌装を一例として図示説明する。図８は、グリップの補助具本体（１３）の正面図である。【００２６】  図８に示されるグリップの補助具の本体（１３）は、熱硬化性エラストマーや熱可塑性エラストマーなどの弾性素材からなり、図８に示されるように円筒状で円筒方向の上端側端部と下端側端部の円周の厚みを薄く形成し薄肉部（１３ａ）、上端側端部と下端側端部との円筒方向の中間位置の厚みを厚く形成し厚肉部（１３ｂ）として、円筒状の本体（１３）の外側の形状が、太鼓形状を呈するように形成されている。また、上端側端部の薄肉部（１３ａ）、下端側端部の薄肉部（１３ｂ）の何れか、または両側から複数の舌片（１３ｃ）を延設して一体に形成される。【００２７】  このように形成された本体（１３）は、図８に示されるようにラケット（２）のグリップ（２ａ）にグリップエンド（２ｂ）から嵌め入れて適宜な位置に嵌装される。本体（１３）は、弾性素材からなるのでグリップ（２ａ）の径よりも小さく形成することで嵌装した際は、グリップ（２ａ）を締め付けるように固定され、接着剤や両面粘着テープで固定する必要がなく、嵌装した位置を容易に変更することができる。ラケット（２）の使用者がラケットを常に短めに持つ場合は、グリップ（２ａ）の長さ方向の中程に本体（１３）を嵌装することで、本体（１３）の太鼓形状の外側面がグリップエンドの役割を担うことになり、グリップ時のホールド感向上とスイング時や使用時の手からすっぽ抜けることを防止することが可能となる。さらに、上端側端部と下端側端部を逆さにしても同一形状を呈するので、嵌装する際の方向性がなく、図３に示されるように、本体（１３）を２個間隔をおいて嵌装することで、明確なグリップ位置の位置決めにもなる。さらに、このような本体（１３）を２個間隔をおいて嵌装した状態において、使用者がグリップ（２ａ）の滑り止め効果やクッション性を得たい場合は、グリップ（２ａ）にグリップテープ（３）を巻きつけることが可能である。この場合、舌片（１３ｃ）がグリップテープ（３）を巻き付けるためのガイドとしての役割を担うことができる。グリップテープ（３）を巻き付ける際は、舌片（１３ｃ）の上からグリップテープ（３）を巻き始めることによって本体（１２）を確実にグリップ（２ａ）に嵌装することができるとともに、さらなるグリップ時のホールド感向上とスイング時や使用時に手からすっぽ抜けることを防止することが可能となる。【００２８】  なお、本体（１）（１１）（１２）（１３）の素材であるが、例えば、熱硬化性エラストマーであれば、一般的にゴムと呼ばれるウレタン樹脂、シリコン樹脂、フッ素樹脂など、熱可塑性エラストマーであれば、スチレン系樹脂、オレフィン系樹脂、塩ビ系樹脂、ウレタン系樹脂、エステル系樹脂、アミド系樹脂、ＥＶＡ樹脂などがあげられ、何れも柔軟性及びゴム弾性を有するので本体（１）（１１）（１２）（１３）の素材として好適である。
【符号の説明】
【００２９】  １，１１，１２，１３          本体
１ａ，１１ａ，１２ａ，１３ａ  薄肉部
１ｂ，１１ｂ，１２ｂ  １３ｂ  厚肉部
１２ｃ，１３ｃ                舌片
２                    ラケット
２ａ                  グリップ
２ｂ                  グリップエンド
３                    グリップテープ
【図１】
0003195884.tif 000003
【図２】
0003195884.tif 000004
【図３】
0003195884.tif 000005
【図４】
0003195884.tif 000006
【図５】
0003195884.tif 000007
【図６】
0003195884.tif 000008
【図７】
0003195884.tif 000009
【図８】
0003195884.tif 000010
【手続補正書】
【提出日】平成26年11月7日(2014.11.7)
【手続補正１】
【補正対象書類名】実用新案登録請求の範囲
【補正対象項目名】請求項２
【補正方法】変更
【補正の内容】
【請求項２】
運動具や工具などのグリップに嵌装する補助具であって、補助具の本体は、円筒状で弾性素材からなり、円筒の上端側端部と下端側端部の円周の厚みを薄く形成した薄肉部と、上端側端部と下端側端部との円筒方向の中間位置の厚みを厚く形成した厚肉部として、円筒状の本体の外側の形状が太鼓形状を呈するように形成されていることを特徴とするグリップの補助具。
【手続補正２】
【補正対象書類名】実用新案登録請求の範囲
【補正対象項目名】請求項３
【補正方法】変更
【補正の内容】
【請求項３】
運動具や工具などのグリップに嵌装する補助具であって、補助具の本体は、円筒状で弾性素材からなり、円筒の上端側端部の円周の厚みを薄く形成した薄肉部と、下端側端部の円周の厚みを厚く形成した厚肉部とから、円筒状の本体の外側の形状が円錐台形状を呈するように形成されるとともに、上端側端部の薄肉部から上方に向かって複数の舌片を延設したことを特徴とするグリップの補助具。